(57)【特許請求の範囲】
【請求項１】
映像信号及び音声信号からなる音映像信号を再生する映像再生装置であって、
音映像信号を記録媒体に記録する記録部と、
前記記録媒体に記録された前記音声信号において、ある時点よりも後の予め設定された所定時間の間に当該時点のパワー値を超えるパワー値が出現しない場合、当該時点のパワー値を特徴点として抽出する第１抽出部と、
第１抽出部が抽出した特徴点に対して予め設定された切取り時間の間の音映像信号を特徴部として抽出する第２抽出部と、
前記音映像信号を再生させる再生部と、
前記特徴部の再生の間、当該映像再生装置の音又は映像の再生設定を所定量だけ変化させる制御部と、
を備えたことを特徴とする映像再生装置。
【発明の詳細な説明】
【技術分野】
【０００１】
本発明は、音・映像設定機能を持つテレビ受像機にて音映像の蓄積コンテンツを再生する映像再生装置に関する。
【背景技術】
【０００２】
従来、映像記録再生装置あるいは映像再生装置を内蔵させたテレビ受像機が知られているが、そのようなテレビ受像機では、映像記録再生装置あるいは映像再生装置が蓄積コンテンツを再生しているときに、再生音あるいは再生映像を変化させるためにはユーザーがテレビ受像機側のリモコンで音ボリュームボタンを操作したり映像調整ボタンを操作したりしなければならず、盛上りシーンの再生に差し掛かった時に音量を大きくしたり、映像輝度を上げたり下げたりする制御を、テレビ受像機側の音、映像調整機能を利用して行うことはできなかった。
【発明の開示】
【発明が解決しようとする課題】
【０００３】
本発明は、このような従来の技術的課題に鑑みてなされたものであり、蓄積コンテンツの内容に応じて盛上りシーンの再生に差し掛かった時にテレビ受像機側の音、映像調整機構を制御してそのシーンをいっそう際立つ態様で再生できるようにした映像再生装置を提供することを目的とする。
【課題を解決するための手段】
【０００４】
本発明は、映像信号及び音声信号からなる音映像信号を再生する映像再生装置であって、音映像信号を記録媒体に記録する記録部と、前記記録媒体に記録された前記音声信号において、ある時点よりも後の予め設定された所定時間の間に当該時点のパワー値を超えるパワー値が出現しない場合、当該時点のパワー値を特徴点として抽出する第１抽出部と、第１抽出部が抽出した特徴点に対して予め設定された切取り時間の間の音映像信号を特徴部として抽出する第２抽出部と、前記音映像信号を再生させる再生部と、前記特徴部の再生の間、当該映像再生装置の音又は映像の再生設定を所定量だけ変化させる制御部と、を備えたことを特徴とする。
【発明の効果】
【００１２】
本発明の映像再生装置によれば、蓄積コンテンツの音映像信号をテレビ受像機にて再生させている時にその特徴部に到達すれば当該特徴部の再生の間、テレビ受像機側の音設定又は映像設定を所定量だけ変化させるので、蓄積コンテンツの盛上り部分のような特徴部の再生時にユーザーの注意を喚起したり、その盛上りをいっそう強調したりすることができる。
【発明を実施するための最良の形態】
【００１３】
以下、本発明の実施の形態を図に基づいて詳説する。図１は、本発明の１つの実施の形態の映像記録再生装置内蔵テレビセットを示している。本実施の形態のテレビセットは、映像記録再生装置部１０とテレビ受像機２０から構成されている。そして映像記録再生装置部１０は、映像録画処理部１１０と再生処理部１２０とで構成されている。テレビ受像機２０には、モニター２１とスピーカ２２、そしてモニター２１の画面輝度、ＲＧＢ信号、映像サイズ等を調整する映像調整部２３、またスピーカ２２の出力音の音量、エコー効果、サラウンド効果等を調整する音調整部２４が備えられている。
【００１４】
映像記録再生装置部１０における録画処理部１１０は、音映像放送信号を受信して検波し、ＭＰＥＧ２−ＴＳのような音映像圧縮信号に復調するチューナ部１１１、このチューナ部１１１で復調した信号に含まれている音声圧縮信号を音声信号に変換する音声デコーダ１１２、この音声デコーダ１１２の変換した音声信号に対して各記録位置のパワー値を検出し音声パワーデータとして記録する音パワー検出部１１３、音映像圧縮信号を記録するハードディスクやＤＶＤのような記録媒体１１４、この記録媒体１１４に対して音映像圧縮信号を記録し、またそこから音映像圧縮信号を読み出すインタフェース１１５を備えている。尚、図１では、記録媒体１１４としてハードディスクＨＤＤが例示してあり、また、それに対する書込み・読出しのインタフェース１１５としてハードディスクインタフェースＨＤＤ−ＩＦを例示している。
【００１５】
映像記録再生装置部１０における再生処理部１２０は、記録媒体１１４に記録されているＭＰＥＧ２−ＴＳのような音映像圧縮信号を取出して映像信号と音声信号とに変換する音映像デコーダ１２１、記録媒体１１４に記録されている音声パワーデータを解析し、最高パワー値から所定割合だけ低い値、例えば８０％の値を閾値として設定し、これを超えるパワー値を示す記録位置を特徴部に指定し、再生中に当該特徴部に達したときに特徴部であることを指示する音声パワー解析部１２２、この音声パワー解析部１２２から特徴部指示を受け取ると、テレビ受像機２０側の音量調整部２４、映像調整部２３に音脚色、映像脚色指示を出力する音・映像制御部１２３を備えている。
【００１６】
次に、上記構成のテレビセットにおける映像記録再生装置部１０による映像記録処理について説明する。
【００１７】
録画処理部１１０において、チューナ部１１１が音映像放送信号を受信して検波し、ＭＰＥＧ２−ＴＳのような音映像圧縮信号に復調する。そしてチューナ部１１１で復調した信号に含まれている音声圧縮信号を音声デコーダ１１２にて音声信号に変換し、音パワー検出部１１３にてその音声信号に対して各番組開始からの相対時刻と各時刻のパワー値を検出し、インタフェース１１５を介して記録媒体１１４に音声パワー値データとして順次記録していく。このときに記録したコンテンツの音声信号のパワー値データは図２の曲線Ａに示すものであったとする。
【００１８】
次に、本実施の形態のテレビセットにおける映像記録再生装置部１０による映像再生処理について説明する。映像記録再生装置部１０の再生処理部１２０による蓄積コンテンツの再生に際し、最初に音声パワー解析部１２２は記録媒体１１４上のコンテンツの音声パワー値データ、図２の曲線Ａのデータを全先読みし、最高パワー値に対して所定割合だけ低い値、例えば８０％の値を閾値Ｂに設定し、これを超えるパワー値を示す映像部分の記録位置を特徴部Ｐ１，Ｐ２，…として抽出し、音・映像制御部１２３に出力する。
【００１９】
これに続き、音映像デコーダ１２１は記録媒体１１４のコンテンツの再生を開始し、映像をテレビ受像機２０のディスプレイ２１によって再生し、また音声をスピーカ２２によって再生する。このとき、テレビ受像機２０の映像調整部２３、音調整部２４それぞれはそれまでにユーザーが設定した輝度、コントラスト、ＲＧＢ色温度、シャープネス、映像サイズ、また、音量、ラウドネス、サラウンド効果等の調整値のままに再生する。
【００２０】
そしていま、音・映像制御部１２３は音映像デコーダ１２１によるコンテンツの再生位置が特徴部Ｐ１，Ｐ２，…に到達するとその特徴部の再生の期間中、予め設定したパターンにて音量の増量、輝度の増量、色温度の変更等の指示をテレビ受像機２０側の映像調整部２３、音調整部２４に与え、それらによって音量の増量、輝度の増量、色温度の変更、ブリンク表示等の指定された調整を行う。尚、図２の曲線Ｃは音量・輝度の増減パターンを示してあり、本実施の形態では、特徴部Ｐ１，Ｐ２，…においてＬ１，Ｌ２，…のように音量・輝度を所定量だけ増加させるパターンに設定している。
【００２１】
これにより、本実施の形態の映像記録再生装置内蔵テレビセットでは、録画したコンテンツに対してその再生時に、特に音声が大きくなる部分、例えば、サッカー、野球等のスポーツ放送の録画であれば盛上り部分に相当する部分を通常よりもより際立つ仕方で再生することができ、他の用事をしながら録画再生を見ているユーザーに盛上り部分であることを知らせて注意を引くことができ、また臨場感を向上させることができる。
【００２２】
尚、上記実施の形態では、音声パワー解析部１２２が閾値を超える音声パワー値を示す部分を特徴部として選択する構成にしたが、特徴部の抽出手法はこれに限らない。例えば、音声パワー解析部１２２が、音声パワー検出部１１３の検出し記録した音声信号のパワー変動において、ある時点よりも後の予め設定された一定のピーク保持時間の間に当該時点のパワー値を超えるパワー値が出現しない当該時点のパワー値を特徴点として抽出し、特徴点に対して予め設定された一定の切取り時間の間の音映像信号を特徴部として抽出するものであってもよい。
【００２３】
また、上記実施の形態において、音・映像制御部１２３は音、映像の調整手法として、蓄積コンテンツの特徴部の再生の間、音量と映像輝度の増量を行うだけでなく、あるいはそれらに代えて、音質、エコー効果又はサラウンド効果を所定量だけ変化させたり、色温度を変更したり、ブリンクさせたり、再生映像サイズを大きくしたり小さくしたりする等、通常とは異なった態様で音を出力し、また映像を出力するものとすることができる。加えて、上記実施の形態は、映像記録再生装置を内蔵したテレビセットを例示したが、映像再生専用装置を内蔵したテレビセットにも適用することができる。
【００２４】
尚、ここに示した実施の形態は本発明の一例であって、本発明の特許請求の範囲を限定するものではない。
【図面の簡単な説明】
【００２５】
【図１】本発明の１つの実施の形態の映像記録再生装置内蔵テレビセットのブロック図。
【図２】上記実施の形態における再生処理部による再生方法の説明図。
【符号の説明】
【００２６】
１０…映像記録再生装置部、２０…テレビ受像機、１１０…録画処理部、１１１…チューナ部、１１２…音声デコーダ、１１３…音パワー検出部、１１４…記録媒体、１１５…インタフェース、１２０…再生処理部、１２１…音映像デコーダ、１２２…音声パワー解析部、１２３…音・映像制御部、２１…ディスプレイ、２２…スピーカ、２３…映像調整部、２４…音調整部。
【図１】
0004716833.tif 000002
【図２】
0004716833.tif 000003